(57)【要約】【課題】  空気ポンプの消音装置の提供。【解決手段】  空気ポンプの本体に一組以上の空気抽送装置が取付られ、並びに該本体内に一組以上の該空気抽送装置に対応する空気進出構造が設けられ、それは円孔座、入気横管、出気横管及び気室ケースを具え、該気室ケースが本体の前側に設置され、その内側が隔板で入気室、第一出気室、第二出気室に区画され、並びにそのうちの長管柱、短管柱の導流緩衝により、空気の直接流入により発生する騒音を減らし、送出する空気を均一に分布させる。【選択図】        図２
0003108155.tif 000002
【実用新案登録請求の範囲】
【請求項１】
空気ポンプの本体に一組以上の空気抽送装置が取付られ、並びに該本体内に一組以上の該空気抽送装置に対応する空気進出構造が設けられ、各一組の空気進出構造が、円孔座、入気横管、出気横管及び気室ケースを具え、
該円孔座は、本体の中央部の一側面に位置し、その内側に第１円弧溝と第２円弧溝を具え、
該入気横管は、一端が円孔座の第１円弧溝に連通し、別端は気室ケースに連通し、
該出気横管は、一端が円孔座の第２円弧溝に連通し、別端が気室ケースに連通し、
該気室ケースは、該本体の前側に設置されて底座、外蓋を具え、
該底座は、隔板で少なくとも第１収容室、第２収容室及び第３収容室に区画され、そのうち、第１収容室は該入気横管と連通し、第２収容室は出気横管と連通し、
該外蓋は、底座と突き合わされ接合されて気室ケースを形成し、並びに隔板で第１収容室、第２収容室及び第３収容室に区画され、そのうち、第１収容室は該底座の第１収容室と突き合わされ接合されて入気室を形成し、該第２収容室は底座の第２収容室と突き合わされ接合されて第１出気室を形成し、第３収容室は該底座の第３収容室と突き合わされ接合されて第２出気室を形成することを特徴とする、空気ポンプの消音装置。
【請求項２】
請求項１記載の空気ポンプの消音装置において、底座の第２収容室と第３収容室の間の隔板に切欠きが設けられたことを特徴とする、空気ポンプの消音装置。
【請求項３】
請求項１記載の空気ポンプの消音装置において、第１収容室の底面に長管柱が設けられ、該長管柱は入気孔を具えたことを特徴とする、空気ポンプの消音装置。
【請求項４】
請求項１記載の空気ポンプの消音装置において、外蓋の第３収容室の底面に長管柱が設けられ、その一端が延伸されて外蓋外側で出気管を形成したことを特徴とする、空気ポンプの消音装置。
【請求項５】
請求項１記載の空気ポンプの消音装置において、底座の第１収容室の底面に短管柱が設けられたことを特徴とする、空気ポンプの消音装置。
【請求項６】
請求項１記載の空気ポンプの消音装置において、底座の第３収容室の底面に短管柱が設けられたことを特徴とする、空気ポンプの消音装置。
【考案の詳細な説明】
【技術分野】
【０００１】
本考案は一種の空気ポンプの消音装置に係り、特に、鑑賞魚用水槽内に使用されて空気が直接流入されることにより発生する騒音を低減し、送出する空気を均一に分布させる空気ポンプの消音装置に関する。
【背景技術】
【０００２】
図１は周知の空気ポンプの立体分解図である。それによると、空気ポンプＡの本体１に一組の空気抽送装置２が設けられ、それは圧縮カバーカップ２１、振動クランク２３及び二つの逆止構造２２等で構成され、その本体１の中央部分が入気室１１と出気室１２に区画され、且つ中央隔板１０に抽気孔１３と出気孔１４が設けられ、そのうち、入気室１１の上方が圧縮カバーカップ２１で被覆され、中央位置に振動クランク２３が嵌め込まれ、該振動クランク２３の別端は外部の電磁装置に組み合わされて磁石２３１が設置され、入気室１１内の抽気孔１３上に嵌め溝１５が設けられ、出気室１２の出気孔１４上にも嵌め溝１５が設けられ、二つの嵌め溝１５中に逆止構造２２が嵌め込まれ、且つ逆止構造２２においてプッシュブロック２２１により逆止膜２２２が嵌め溝１５中に圧着されて、逆止膜２２２の一側が抽気孔１３と出気孔１４を被覆し、且つ気体の吹きつけにより薄片が駆動され、且つ該入気室１１の底部に貫通孔１６が設けられて本体１外側に連通可能で、該出気室１２の一側に出気管１７が設けられ、本体１の底部が底蓋１８で封じられている。
【０００３】
以上の構造により、電源がオンされる時、振動クランク２３の一側の磁石２３１が外部電磁装置の吸着と排斥作用を受け、もう一側を支点として上下に振動し、下方の圧縮カバーカップ２１に対して押し引きの動作を形成し、その引き動作時に外部の気体が貫通孔１６より入気室１１中に吸入され、更に抽気孔１３より気体が出気孔１４に至り、一側の出気管１７より排出され、該振動クランク２３がこのような往復動作を行なうことで、連続送気の効果を達成する。
【０００４】
しかし上述の周知のポンプ構造は広く業界中で使用されているとはいえ、気体流動経路が短く、且つ入気が直接抽気孔１３より入気室１１内に流入するため、気体が非常に急速に出気管より排出され、気体の流動の速度が速く、ゆえに排出時に極めて大きな音を発生して騒音を形成する。
【０００５】
このような周知の技術の欠点を解決するため、特許文献１及び特許文献２に記載の構造が提供されている。
【０００６】
特許文献１及び２に記載の構造の目的は、空気ポンプの騒音の問題に対して、空気ポンプ本内底部に気室を設けることで、空気の通路を延長することにある。しかし、残念なことに、気室内に直接緩衝設計がなく、騒音の低減効果が有限であり、過度の通路迂回設計により、送出される気体の風量不足がもたらされ、空気が水中で均一に分散しなくなる。
【０００７】
【特許文献１】特許第３４００５７６号明細書
【特許文献２】実用新案登録第３０７９８６０号明細書
【考案の開示】
【考案が解決しようとする課題】
【０００８】
本考案は上述の従来の空気ポンプの欠点に対して、空気ポンプの消音装置を提供し、それは、空気ポンプの本体に一組以上の空気抽送装置が取付られ、並びに該本体内に一組以上の該空気抽送装置に対応する空気進出構造が設けられ、それは円孔座、入気管、出気横管及び気室ケースを具え、該気室ケースが本体の前側に設置され、その内側が隔板で入気室、第一出気室、第二出気室に区画され、並びにそのうちの長管柱、短管柱の導流緩衝により、従来の空気ポンプの欠点を解消する。
【課題を解決するための手段】
【０００９】
請求項１の考案は、空気ポンプの本体に一組以上の空気抽送装置が取付られ、並びに該本体内に一組以上の該空気抽送装置に対応する空気進出構造が設けられ、各一組の空気進出構造が、円孔座、入気横管、出気横管及び気室ケースを具え、
該円孔座は、本体の中央部の一側面に位置し、その内側に第１円弧溝と第２円弧溝を具え、
該入気横管は、一端が円孔座の第１円弧溝に連通し、別端は気室ケースに連通し、
該出気横管は、一端が円孔座の第２円弧溝に連通し、別端が気室ケースに連通し、
該気室ケースは、該本体の前側に設置されて底座、外蓋を具え、
該底座は、隔板で少なくとも第１収容室、第２収容室及び第３収容室に区画され、そのうち、第１収容室は該入気横管と連通し、第２収容室は出気横管と連通し、
該外蓋は、底座と突き合わされ接合されて気室ケースを形成し、並びに隔板で第１収容室、第２収容室及び第３収容室に区画され、そのうち、第１収容室は該底座の第１収容室と突き合わされ接合されて入気室を形成し、該第２収容室は底座の第２収容室と突き合わされ接合されて第１出気室を形成し、第３収容室は該底座の第３収容室と突き合わされ接合されて第２出気室を形成することを特徴とする、空気ポンプの消音装置としている。
請求項２の考案は、請求項１記載の空気ポンプの消音装置において、底座の第２収容室と第３収容室の間の隔板に切欠きが設けられたことを特徴とする、空気ポンプの消音装置としている。
請求項３の考案は、請求項１記載の空気ポンプの消音装置において、第１収容室の底面に長管柱が設けられ、該長管柱は入気孔を具えたことを特徴とする、空気ポンプの消音装置としている。
請求項４の考案は、請求項１記載の空気ポンプの消音装置において、外蓋の第３収容室の底面に長管柱が設けられ、その一端が延伸されて外蓋外側で出気管を形成したことを特徴とする、空気ポンプの消音装置としている。
請求項５の考案は、請求項１記載の空気ポンプの消音装置において、底座の第１収容室の底面に短管柱が設けられたことを特徴とする、空気ポンプの消音装置としている。
請求項６の考案は、請求項１記載の空気ポンプの消音装置において、底座の第３収容室の底面に短管柱が設けられたことを特徴とする、空気ポンプの消音装置としている。
【考案の効果】
【００１０】
本考案は、従来の空気ポンプの欠点を解決し、本考案の気室ケースは空気を導流緩衝することにより、有効に空気の直接流入により発生する騒音を減らし、送出する空気を十分な風量で水中に均一に分布させる。
【考案を実施するための最良の形態】
【００１１】
図２、３、４、５に示されるように、本考案は空気ポンプＢの本体３に一組以上の空気抽送装置４が取付られ、並びに該本体３内に一組以上の該空気抽送装置４に対応する空気進出構造３０が設けられ（各一組の空気抽送装置４は一組の空気進出構造３０に対応し、これにより本体３上に二組の空気抽送装置４があれば二組の空気進出構造が対応し、これは図２に示されるとおりである）、各一組の空気進出構造３０は、円孔座３１、入気横管３２、出気横管３３及び気室ケースＣを具えている。
【００１２】
該円孔座３１は本体３の中央部の一側面に位置し、その内側に第１円弧溝３１１と第２円弧溝３１２を具えている。
【００１３】
該入気横管３２は、一端が円孔座３１の第１円弧溝３１１に連通し、別端は入気室Ｃ１に連通する。
【００１４】
該出気横管３３は、一端が円孔座３１の第２円弧溝３１２に連通し、別端が気室ケースＣに連通する。
【００１５】
該気室ケースＣは、該本体３の前側に設置され、それは、底座３４、外蓋３５を具え、該底座３４は、その一側に軸孔座３４１が設けられ、且つ隔板３４２で少なくとも第１収容室３４４、第２収容室３４５及び第３収容室３４６に区画され、そのうち、第１収容室３４４は該入気横管３２と連通し、底面に短管柱３４７が設けられ、第２収容室３４５は出気横管３３と連通し、且つそれと該第３収容室３４６との間の隔板３４２は切欠き３４３を具えて、第２収容室３４５と第３収容室３４６が連通し、また、第３収容室３４６の底面に短管柱３４８が設けられている。
【００１６】
該外蓋３５は、底座３４と突き合わされ接合されて気室ケースＣを形成し、並びに隔板３５２で第１収容室３５４、第２収容室３５５及び第３収容室３５６に区画され、そのうち、第１収容室３５４は該底座３４の第１収容室３４４と突き合わされ接合されて入気室Ｃ１を形成し、該第２収容室３５５は底座３４の第２収容室３４５と突き合わされ接合されて、第１出気室Ｃ２を形成し、第３収容室３５６は該底座３４の第３収容室３４６と突き合わされ接合されて第２出気室Ｃ３を形成し、第１収容室３５４の底面に長管柱３５１が設けられ、それは入気孔３５１１を具え、第３収容室３５６の底面に長管柱３５３が設けられ、その一端が外蓋３５の外側に延伸され、出気管３５３１を形成する。
【００１７】
また、上述の空気抽送装置４は、圧縮カバーカップ４１、振動クランク４２、バルブシート４３、及びワッシャ４４で構成され、それはワッシャ４４が円形座３１に嵌合され、更にバルブシート４３が置かれ、該バルブシート４３の正面が内凹状を呈し、並びに第３円弧溝４３１及び第１入気孔４３２が設けられ、第１逆止膜４６が置かれ、並びにプラグ４７で固定され、該バルブシート４３の底面に第４円弧溝４３４と第２気孔４３３が設けられ、第２逆止膜４８が挿入されてプラグ４７で固定され、更にボルト４９でバルブシート４３が円孔座３１に固定される。該圧縮カバーカップ４１は該バルブシート４３の凸縁４３５の下側に嵌合され、その上部は振動クランク４２と接続され、且つ振動クランク４２の一端に磁石４２１が設けられ、別端に弾性軸４２２が設けられて気室ケースＣの軸孔座３４１に嵌合される。
【００１８】
以上の構造により、図２、５、６、７に示されるように、電源がオンされる時、振動クランク４２の一側の磁石４２１が外部電磁装置（図示せず）の吸着排斥作用を受け、弾性軸４２２を支点として上下に振動し、これにより圧縮カバーカップ４１が同期に押し引きの動作を行ない、外部空気が入気孔３５１１より吸入され並びに該長管柱３５１に沿って短管柱３４７に衝突し、これにより吸入された空気が減速、緩衝され、並びに長管柱３５１及び短管柱３４７の間の空隙より入気室Ｃ１に流入し、更に入気横管３２、第１円弧溝３１１を通りバルブシート４３に進入し、並びに第１逆止膜４６、第２逆止膜４８の運転制御により、空気が第１入気孔４３２より、第３円弧溝４３１を通り、さらに第２入気孔４３３より第４円弧溝４３４、第２円弧溝３１２、出気横管３３を通り第１出気室Ｃ２１に進入し、切欠き３４３を通り第２出気室Ｃ３に流入し、並びに長管柱３５３より延伸された出気管３５３１より空気が送出され、このような迂回、緩衝の設計により、空気流入により発生する騒音が最低にまで低減され、また十分な風量で、空気が比較的遠い距離に送られ、空気の均一な分布が確保される。
出気横管３３と連通し、且つそれと該第３収容室３４６との間の隔板３４２は切欠き３４３を具えて、第２収容室３４５と第３収容室３４６が連通し、また、第３収容室３４６の底面に短管柱３４８が設けられている。
【００１９】
以上から、本考案は産業上の利用性と進歩性を具え、且つ本考案の構造はその出願前に頒布された刊行物に記載がなく、新規性を有している。
【図面の簡単な説明】
【００２０】
【図１】周知の空気ポンプの立体分解図である。
【図２】本考案の立体分解図である。
【図３】本考案の外観立体図である。
【図４】本考案の本体の立体図である。
【図５】本考案の断面図である。
【図６】本考案のエアバルブ動作表示図である。
【図７】本考案の横向き断面図である。
【符号の説明】
【００２１】
１  本体                        １０  隔板
１１  入気室                    １２  出気室
１３  抽気孔                    １４  出気孔
１５  嵌め溝                    １６  貫通孔
１７  出気管                    １８  底蓋
２  空気抽送装置                ２１  圧縮カバーカップ
２２  逆止構造                  ２３  振動クランク
２３１  磁石                    ３  本体
３０  空気進出構造              ３１  円孔座
３１１  第１円弧溝              ３１２  第２円弧溝
３２  入気横管                  ３３  出気横管
３４  底座                      ３４１  軸孔座
３４２  隔板                    ３４３  切欠き
３４４  第１収容室              ３４５  第２収容室
３４６  第３収容室              ３４７  短管柱
３４８  短管柱                  ３５  外蓋
３５１  長管柱                  ３５１１  入気孔
３５２  隔板                    ３５３  長管柱
３５３１  出気管                ３５４  第１収容室
３５５  第２収容室              ３５６  第３収容室
４  空気抽送装置                ４１  圧縮カバーカップ
４２  振動クランク              ４２１  磁石
４２２  弾性軸                  ４３  バルブシート
４３１  第３円弧溝              ４３２  第１入気孔
４３３  第２入気孔              ４３４  第４円弧溝
４３５  凸縁                    ４４  ワッシャ
４５、４７  プラグ              ４６  第１逆止膜
４８  第２逆止膜                ４９  ボルト
Ａ  空気ポンプ                  Ｂ  空気ポンプ
Ｃ  気室ケース                  Ｃ１  入気室
Ｃ２  第１出気室                Ｃ３  第２出気室
【図１】
0003108155.tif 000003
【図２】
0003108155.tif 000004
【図３】
0003108155.tif 000005
【図４】
0003108155.tif 000006
【図５】
0003108155.tif 000007
【図６】
0003108155.tif 000008
【図７】
0003108155.tif 000009